(57)【要約】【課題】収納庫の棚板に物品が多数上載されている場合でも、物品と上方の棚板との空間を有効に利用することができる小物類収納具を極めて簡単な構成で提供することである。【解決手段】収納庫のスペース用小物類収納具１は、２つ以上のフック部材３、３を離間して設けたハンガー基台２と、このハンガー基台２に装設した開口部５ａを有するストレッチ材からなる袋状の収納部５とからなり、前記各ハンガー基台２のフック部材３を収納庫の棚板にフックさせた状態で多段収納庫に配設され、前記開口部５ａを介して収納部５の内部に小物類を収納保持するようにしたことを特徴とする。【選択図】図１
2004215833.tif 000002
【特許請求の範囲】
【請求項１】
フック部材を設けたハンガー基台と、このハンガー基台に設けた袋状の収納部とからなり、前記各ハンガー基台のフック部材を収納庫の棚板などにフックさせた状態でこの収納庫に配設され、前記収納部の開口部から小物類を容易に収納保持したり取り出したりするようにしたことを特徴とする収納庫のスペース用小物類収納具。
【請求項２】
ハンガー基台が、２つ以上のフック部材と、これらのフック部材を板材により連継している請求項１に記載された収納庫のスペース用小物類収納具。
【請求項３】
収納部が、ストレッチ材で形成されている請求項１又は２に記載された収納庫のスペース用小物類収納具。
【発明の詳細な説明】
【０００１】
【発明の属する技術分野】
本発明は、クローゼットなどの収納庫における棚板などにフックして利用することができる小物類収納具に関するものである。
【０００２】
【従来の技術】
クローゼットなどの収納庫には、その収納スペースを有効に利用するためにその外装ケース内に単一又は複数の棚板が設けられている。このような棚板については、棚板の段位を自由に調整するために、外装ケース内に、棚板に対する可変の支持部材を設けて棚板の段位を自由に切り換えることができるようにしたものもある。
【０００３】
けれども、上記した収納庫の棚板に台所用品などの各種の物品を上載して収納した後においても、収納した物品との上方の棚板との間に、空間が存在している。従来、このようなスペースに物品を収納するため、箱体を段積みする収納用具なども開発されている。
【０００４】
【発明が解決しようとする課題】
しかしながら、上記した従来の収納用具は、収納する物品の大きさが特定されるため、かえって無駄な空間が生じてしまう問題があった。
【０００５】
そこで、本発明は、収納庫の棚板に物品が多数上載して収納されている場合でも、棚板の上方におけるスペースを利用して収納庫内に多数の小物類を収納保持することができる小物類収納具を極めて簡単な構成で提供することを目的とした。
【０００６】
【課題を解決するための手段】
上記した目的を達成するため、本発明の収納庫のスペース用小物類収納具は、フック部材を設けたハンガー基台と、このハンガー基台に設けた袋状の収納部とからなり、前記各ハンガー基台のフック部材を収納庫の棚板などにフックさせた状態でこの収納庫に配設され、前記収納部の開口部から小物類を容易に収納保持したり取り出したりするようにしたことを特徴とする。
【０００７】
上記した本発明の収納庫のスペース用小物類収納具は、２つ以上のハンガー部材を離間して設けたハンガー基台によって構成されているから、ハンガー基台のフック部材でクローゼットなどの収納庫の棚板などに当該収納具全体をフックした状態で配設することができる。
【０００８】
ハンガー基台におけるフック部材については、剛性な弾性金属線材などで形成されていることが好ましい。また、フック部材は、対象とする棚板の厚さに対応した間隔を有するように、その金属線材をＵ形に屈曲した端部部分をフック用アームとして形成したものとすることができる。このフック用アームを前記した棚板にフックさせることにより、フック基台のフック部材を介して当該収納具を収納庫内に配設することができる。
【０００９】
上記したように、ハンガー基台の連結板材としては、厚紙材、プラスチック板、木板、金属板材などの剛性の連結板材で連継されている。連結板材が厚紙材、プラスチック板により形成されていると、ハンガー基台をより軽量化することができる利点がある。また、連結板材が剛性な板材によって連継して形成されると、各フック部材間の間隔を一定に維持することができると共に、ハンガー基台の機械的強度を高めることができる。さらにフック部材を介して当該収納具全体を収納庫における棚板に安定した状態でフックして配設させることが可能となる。連結板材が金属板材で形成されていると、各フック部材の金属材の端部を溶接したり、その端部の屈折部分で接続し、あるいはネジ止めする方法などにより固定することができる。
【００１０】
ハンガー基台には、布帛やストレッチ材などで形成された袋状の収納部が設けられている。このように収納部は袋状のものであるから、偏平状であって自在に変形できる。収納部はストレッチ材によって形成できる。収納部がストレッチ材により形成されていると、収納部が収縮して弾性的に変化させることも可能である。ストレッチ材からなる収納部については、袋状のものである。
【００１１】
袋状の収納部は、その開口部から挿設してハンガー基台に設けることができる。また、ハンガー基台自体に収納部が直接装設されていてもよい。
【００１２】
収納部に何も収納されていないときには、当該収納具がクローゼットなどの収納庫におけるスペースの障害となることはない。また、収納部がストレッチ材からなるときは、ストレッチ材がその開口部を含めてその収縮性に基づいて拡開させることが可能であるから、その収納部の開口部から弁当箱、タッパー容器などプラスチック製容器、箸やストロー類、サランラップやアルミホイル、軽量小型のプラスチック製まな板類、菓子類やコーヒー、紅茶類の飲食物などの台所用品のうちの小物類をその内部に収納させることができる。この場合、ストレッチ材の収縮時における弾性力に基づいて多数の小物類を一体的にまとめた状態で収納保持することができる。このため、ストレッチ材に小物類を収納した状態でも、収納庫における棚板の上方のスペースをより有効に利用することができる。
【００１３】
本発明における収納対象としている小物類については、特にその種類は限定されず、フック基台を多段収納庫の棚板にフックした状態で支持できると共に、収納部内に収納保持することができる。また、ストレッチ材からなる収納部の場合、その収縮時の弾性力に基づいて保持することが可能な軽量物であって、比較的に嵩が小さい小物類を対象とすることが好ましい。
【００１４】
【発明の実施の形態】
発明の実施の形態を図に基づいて説明する。図１および図２に示すように、収納庫のスペース用小物類収納具１は、フック基台２と、このフック基台２に設けられた袋状のストレッチ材からなる収納部５とからなる。
【００１５】
ハンガー基台２は、フック部材３、３が並列的に離間して配列され、これらのフック部材３、３は剛性板からなる連結板材４により連継されている。連結板材４は、複数の板材を配置したものであってもよく、剛性の金属板であると、その端部に各フック部材３を溶接により連結しておけばよい。また、図１に示す連結板材４は複数の金属板からなる弾性のあるものを示しているが、これらは一枚の金属板からなるものであってもよい。
【００１６】
各フック部材３は、金属線材の本体３ａの端部部分を屈曲することによってフック用アーム３ｂが形成されている。なお、連結板材４が木板であると、固定具を用い、厚紙板であると接着剤を用いて取り付けるとよい。金属線材の本体３ａとフック用アーム３ｂとの間隔は、対象とする棚板の厚さに対応して形成されている。これにより、ハンガー基台２を各フック部材３を介して対象としている棚板に容易にフックさせることができる。
【００１７】
ハンガー基台２には、袋状のストレッチ材からなる収納部５が設けられている。収納部５は、その前方に環状の開口部５ａを有している袋状のものである。開口部５ａにはゴム材５ｂが設けられ、ゴム材５ｂにより開口部５ａを弾性的に変形できるようになっている。ストレッチ材からなる収納部５は、全体として柔軟性のものであるから、開口部５ａを拡開した時に、収納部５の全体も柔軟的に拡張変形するようになっている。図２には、収納部５を開口部５ａが全体的に下方に拡開した状態を示している。この拡開した形態は、図示していないが、収納部５が布帛からなる場合でも同じである。
【００１８】
収納部５の後端部にもゴム材５ｂと同様な環状のゴム材５ｃを付設しておくことができる。このゴム材５ｃにより、ストレッチ材からなる収納部５についてはその後方部も収縮するようになっている。図示はしていないが、収納部５がストレッチ材ではなく布帛などで形成されていても、その全体はハンガー基台２に自在に偏平状に変形する。
【００１９】
袋状の収納部５をハンガー基台２に設けるには、収納部５の開口部５ａからハンガー基台２を挿入し、その開口部５ａのゴム材５ｂを先頭位置の連結板材３の各係止凹部４ａに係止して行うことができる。この係止により収納部５を拡開した時にハンガー基台２からズレるのを防ぐことができる。
【００２０】
図１に示すように、ハンガー基台２の連結板材４にはその端部の上部位置に両面テープ６がそれぞれ付設されていることが好ましい。このような両面テープ６はフック部材３の本体３ａの上部部分にも設けられている。図３に示すように、これらの両面テープ６は粘着力により、収納部５の上面部分をハンガー基台２に固定しておくことができる。このように袋状の収納部５の上部部分が固定されていると、収納部５を安定してハンガー基台２に装設することができると共に、図２に示すように、収納部５の開口部５ａを開放する操作と開口部５ａから小物類を収納あるいは取り出す操作を容易に行うことができ、しかも、その収納した小物類を安定保持することができる。
【００２１】
第二の実施態様の多段収納庫のスペース用小物類収納具１Ａを図４に示した。収納具１Ａは、ハンガー基台２Ａをフック部材３、３を厚紙材からなる連結板材４Ａにより連継したものである。連結板材４Ａは、厚紙材の上下部分を重ね合わせにし、その両側に沿って貫通孔をそれぞれ形成すると共に、その重ね合わせた上下部分をホッチキスの爪などの固定部材４Ａｂにより固定したものである。また、その先頭部位置の両側縁部に係止凹部４Ａｃがそれぞれ設けられている。このハンガー基台２Ａには収納具１と同様にストレッチ材からなる収納部５を挿設することができる。また、連結板材４Ａの係止凹部４Ａｃは、前記した収納具１における係止凹部４Ａによる機能と同様に、収納部５の開口部５ａのゴム材５ｂを係止しておくことができる。
【００２２】
ハンガー基台２Ａのように、各フック部材３が厚紙材からなる連結板材４Ａにより形成されていると、フック部材３を挿設する作業によりハンガー基台２Ａをより容易に得ることができると共に、当該収納具全体をより軽量にすることが可能である。また、各フック部材３に沿って両面テープ６Ａが設けられていると、両面テープ６Ａにより、図５に示すように、各フック部材３に連結板材４Ａを固定しておくことができる。従って、各フック部材３に連結板材４Ａを安定して固定した状態のハンガー基台２Ａを得ることができる。
【００２３】
図６には、対象とする収納庫として、一般的なクローゼット７を示した。このクローゼット７は、その外装ケース８の内部が複数の棚板９により多段に構成されている。これらの棚板９には多数のカップ類１０ａ、１０ｂ、１０ｃ、プラスチック製容器類１１、弁当箱類１２などの多数の台所用品が整理して上載して収納される。このクローゼット７における、その上下位置の棚板９の間のスペース９ａを利用して前記した収納具１又は１Ａをハンガー基台２のフック部材３を該当する棚板９にフックする状態で配設することができる。なお、扉のないオープンクローゼットの場合、収納具１又は１Ａは天板にも取り付けて用いることもできる。
【００２４】
このようにクローゼット７の棚板９にフックして配設された収納具１又は１Ａは、前記したように当初その収納部５が全体として収縮した状態で収縮した状態となっているため、収納具１又は１Ａにおける収納部５がスペース９ａにおける障害となることがない。また、図６に示すように、収納部５の内部には、その開口部５ａから包装箱に収容されたラップ類やアルミホイール類１３などの小物類を収納させ、その収納した小物類をその弾性力により保持することができる。
【００２５】
収納具１又は１Ａのストレッチ材５の内部には、図７に示すように、プラスチック製弁当箱類１４やロールペーパー類１５の複数の小物類を嵩高い状態で収納することができる。このように複数の小物類を嵩高く積み重ねて収納しても、各小物類が軽量である場合には、収納部の弾力性に基づいて効果的にスペース９ａの位置で保持させることができる。この場合、収納した各小物類１４等は、収納部５と密着した状態となるため、スペース９ａを有効に利用することが可能となる。
【００２６】
【発明の効果】
本発明の収納庫のスペース用小物類収納具では、２以上のフック部材を有するハンガー基台を有するから、クローゼットなどの収納庫の棚板にハンガー基台のフック部材をフックすることができる。またハンガー基台には袋状の収納部が設けられているから、収納部の開口部から小物類を収納できるため、収納庫の収納部における上方の棚板と下部棚板上に載せた物品との空間を有効利用することが可能となる。
【００２７】
ストレッチ材からなる収納部であると、収納部は拡開時に収縮させることが可能であるから、小物類を何ら収納していない時には、収納部は全体として収縮した状態に変形すると共に、その収縮に基づく弾性力が生じる。このため、収納庫の棚板などに設置された状態で、収納部が収納庫におけるスペースの障害とはならない。また、収納部の内部に小物類が収納されている場合でも、収納する小物類に対してその弾性力に基づいて密着して収縮する状態となるから、物品の大きさに制限されることなく、収納部の空間を有効に利用することができる。
【図面の簡単な説明】
【図１】本発明の第一の実施態様の収納庫のスペース用小物類収納具の斜視図である。
【図２】本発明の第一の実施態様の収納庫のスペース用小物類収納具の正面図である。
【図３】本発明の第一の実施態様の収納庫のスペース用小物類収納具の縦断面図である。
【図４】本発明の第二の実施態様の収納庫のスペース用小物類収納具の斜視図である。
【図５】本発明の第二の実施態様の収納庫のスペース用小物類収納具の縦断面図である。
【図６】本発明の収納庫のスペース用小物類収納具を収納庫の棚板にフックして使用する状態を説明する部分斜視図である。
【図７】本発明の収納庫のスペース用小物類収納具を収納庫の棚板にフックして使用する状態を説明する部分正面図である。
【符号の説明】
１、１Ａ  収納庫のスペース用小物類収納具
２、２Ａ  ハンガー基台
３  フック部材
３ａ  本体
３ｂ  フック用アーム
４、４Ａ  連結板材
４ａ、４Ａａ  係止凹部
４Ａｂ  固定部材
４Ａｃ  貫通孔
５  ストレッチ材からなる収納部
５ａ  開口部
５ｂ、５ｃ  ゴム材
６  両面テープ
７  クローゼット
８  外装ケース
９  棚板
９ａ  スペース
１０ａ、１０ｂ、１０ｃ  カップ類
１１  プラスチック製容器類
１３  包装箱に収納されたラップ類やアルミホイール類
１４  弁当箱類
１５  ロールペーパー
【図１】
2004215833.tif 000003
【図２】
2004215833.tif 000004
【図３】
2004215833.tif 000005
【図４】
2004215833.tif 000006
【図５】
2004215833.tif 000007
【図６】
2004215833.tif 000008
【図７】
2004215833.tif 000009